(57)【要約】【目的】室外熱交換器に溜まった塵埃を自動的に除去することができ、初期の熱交換効率状態に戻すことが可能な空気調和機の提供。【解決手段】室外に設けられた室外熱交換器１６と、室内に設けられた室内熱交換器１１と、室内熱交換器１１で熱交換された空気を室内へ吹き出す室内ファン９と、室外熱交換器１６を冷却する室外ファン１９とを備え、室内を冷房、暖房又は除湿する空調運転を行う空気調和機。空調運転が終了したときに、室外ファン１９を、室外熱交換器１６を冷却する際の回転方向とは逆方向へ回転させる逆回転手段６，１８と、逆回転手段６，１８が室外ファン１９を回転させる時間を計測する計時手段２１とを備え、逆回転手段６，１８は、計時手段２１が所定時間を計時したときに停止する構成である。【選択図】図１
2007155270.tif 000002
【特許請求の範囲】
【請求項１】
室外に設けられた室外熱交換器と、室内に設けられた室内熱交換器と、該室内熱交換器で熱交換された空気を室内へ吹き出す室内ファンと、前記室外熱交換器を冷却する室外ファンとを備え、前記室内を冷房、暖房又は除湿する空調運転を行う空気調和機において、
前記空調運転が終了したときに、前記室外ファンを、前記室外熱交換器を冷却する際の回転方向とは逆方向へ回転させる逆回転手段と、該逆回転手段が室外ファンを回転させる時間を計測する計時手段とを備え、前記逆回転手段は、該計時手段が所定時間を計時したときに停止するように構成してあることを特徴とする空気調和機。
【請求項２】
室外に設けられた室外熱交換器と、室内に設けられた室内熱交換器と、該室内熱交換器で熱交換された空気を室内へ吹き出す室内ファンと、前記室外熱交換器を冷却する室外ファンとを備え、前記室内を冷房、暖房又は除湿する空調運転を行う空気調和機において、
前記空調運転を行った時間を積算する手段と、該手段が積算した時間が所定時間に達したか否かを判定する手段と、該手段が達したと判定したときに、該判定を記憶する記憶手段と、前記空調運転が終了したときに、前記記憶手段が前記判定を記憶しているか否かを判定する手段と、該手段が記憶していると判定したときに、前記室外ファンを、前記室外熱交換器を冷却する際の回転方向とは逆方向へ回転させる逆回転手段と、該逆回転手段が室外ファンを回転させる時間を計測する計時手段とを備え、前記逆回転手段は、該計時手段が所定時間を計時したときに停止するように構成してあることを特徴とする空気調和機。
【請求項３】
室外に設けられた室外熱交換器と、室内に設けられた室内熱交換器と、該室内熱交換器で熱交換された空気を室内へ吹き出す室内ファンと、前記室外熱交換器を冷却する室外ファンと、外部からの指示を受け付け、前記室内熱交換器を清浄化する清浄化手段とを備え、前記室内を冷房、暖房又は除湿する空調運転を行う空気調和機において、
前記清浄化手段が清浄化を終了したときに、前記室外ファンを、前記室外熱交換器を冷却する際の回転方向とは逆方向へ回転させる逆回転手段と、該逆回転手段が室外ファンを回転させる時間を計測する計時手段とを備え、前記逆回転手段は、該計時手段が所定時間を計時したときに停止するように構成してあることを特徴とする空気調和機。
【請求項４】
前記逆回転手段が室外ファンを回転させる為の指示を受け付ける受付手段と、該受付手段が受け付けた指示を記憶する為の記憶手段とを更に備え、前記空調運転が停止している場合に、前記受付手段が指示を受け付けたときは、前記逆回転手段が室外ファンを回転させ、前記空調運転時に、前記受付手段が指示を受け付けたときは、前記記憶手段が該指示を記憶し、前記空調運転が終了したときに、前記記憶手段が指示を記憶しているときは、前記逆回転手段が室外ファンを回転させるように構成してある請求項１記載の空気調和機。
【請求項５】
前記室内熱交換器の前置フィルタを掃除する掃除手段を更に備え、前記受付手段が前記指示を受け付けて、前記逆回転手段が室外ファンを回転させているときは、前記掃除手段が前置フィルタを掃除するように構成してある請求項４記載の空気調和機。
【請求項６】
前記記憶手段が指示を記憶していることを表示する手段を更に備え、前記記憶手段は、指示を記憶している場合に、前記受付手段が更に指示を受け付けたときは、前記指示を消去するように構成してある請求項４又は５記載の空気調和機。
【請求項７】
前記逆回転手段が室外ファンを回転させる間に、該室外ファンが逆回転していることを表示する手段を更に前記室内に備える請求項１乃至５の何れか１項に記載の空気調和機。
【発明の詳細な説明】
【技術分野】
【０００１】
本発明は、室外機及び室内機を備えたセパレート型の空気調和機に関するものである。
【背景技術】
【０００２】
従来、空気調和機では、室内機（室内熱交換器）の前置フィルタを掃除する機能を持つものが有る。このような空気調和機では、所定期間の経過、又は特定の操作ボタンの操作により、前置フィルタにブラシを上下に擦り付けて、塵埃を剥離させたり、排気ファンを用いて、掃除機のようにノズルを前置フィルタに沿わせて上下左右に動かし、塵埃を吸い出して、付着した塵埃を室外に放出する。また、基本的には、ユーザが、前置フィルタを取り出し、水洗い、又は掃除機等で塵埃を吸い込んで掃除することにより、初期性能に戻すようにしていた。
【特許文献１】特開平１１−２０６８８号公報
【発明の開示】
【発明が解決しようとする課題】
【０００３】
従来の空気調和機では、上述したように、室内機を掃除する機能を備えているが、室外機に関しては、特に掃除機能と言われるものは付加されていない。また、室外ファンが作動している期間は、常に一定方向にしか風が流れない為、綿埃、糸屑等の埃がフィンに付着すると剥がれ難く、室外熱交換器のフィンの間に詰まり易かった。その為、当然のことながら、室外熱交換器に埃等が溜まれば、熱交換効率が低下し、初期性能を発揮することができなくなるが、現状では、室外熱交換器の埃等を自動的に除去することはできず、ユーザーが直接清掃を行う以外に、初期の熱交換効率状態に戻すことはできないという問題がある。
【０００４】
特許文献１には、列車の走行地点の情報、進行方向情報及び回送運転中情報等に基づき室外送風機の回転方向を切り替える車両用空気調和装置が開示されている。
本発明は、上述したような事情に鑑みてなされたものであり、室外熱交換器に溜まった塵埃を自動的に除去することができ、初期の熱交換効率状態に戻すことが可能な空気調和機を提供することを目的とする。
【課題を解決するための手段】
【０００５】
上記の課題を解決する為に、本発明に係る空気調和機では、運転終了時毎または特定の操作ボタンが操作されたときに、室外ファンを逆回転させることで、室外熱交換器のフィンに詰まっている塵埃を吐き出す機能を搭載することにより、簡単な構成で室外熱交換器の熱交換効率低下を防止する。
【０００６】
本発明に係る空気調和機は、室外に設けられた室外熱交換器と、室内に設けられた室内熱交換器と、該室内熱交換器で熱交換された空気を室内へ吹き出す室内ファンと、前記室外熱交換器を冷却する室外ファンとを備え、前記室内を冷房、暖房又は除湿する空調運転を行う空気調和機において、前記空調運転が終了したときに、前記室外ファンを、前記室外熱交換器を冷却する際の回転方向とは逆方向へ回転させる逆回転手段と、該逆回転手段が室外ファンを回転させる時間を計測する計時手段とを備え、前記逆回転手段は、該計時手段が所定時間を計時したときに停止するように構成してあることを特徴とする。
【０００７】
この空気調和機では、室内ファンが、室内熱交換器で熱交換された空気を室内へ吹き出し、室外ファンが室外熱交換器を冷却して、室内を冷房、暖房又は除湿する。空調運転が終了したときに、逆回転手段が、室外ファンを、室外熱交換器を冷却する際の回転方向とは逆方向へ回転させ、計時手段が、逆回転手段が室外ファンを回転させる時間を計測し、逆回転手段は、計時手段が所定時間を計時したときに停止する。
【０００８】
本発明に係る空気調和機は、室外に設けられた室外熱交換器と、室内に設けられた室内熱交換器と、該室内熱交換器で熱交換された空気を室内へ吹き出す室内ファンと、前記室外熱交換器を冷却する室外ファンとを備え、前記室内を冷房、暖房又は除湿する空調運転を行う空気調和機において、前記空調運転を行った時間を積算する手段と、該手段が積算した時間が所定時間に達したか否かを判定する手段と、該手段が達したと判定したときに、該判定を記憶する記憶手段と、前記空調運転が終了したときに、前記記憶手段が前記判定を記憶しているか否かを判定する手段と、該手段が記憶していると判定したときに、前記室外ファンを、前記室外熱交換器を冷却する際の回転方向とは逆方向へ回転させる逆回転手段と、該逆回転手段が室外ファンを回転させる時間を計測する計時手段とを備え、前記逆回転手段は、該計時手段が所定時間を計時したときに停止するように構成してあることを特徴とする。
【０００９】
この空気調和機では、室内ファンが室内熱交換器で熱交換された空気を室内へ吹き出し、室外ファンが室外熱交換器を冷却して、室内を冷房、暖房又は除湿する。積算する手段が、空調運転を行った時間を積算し、判定する手段が、その積算した時間が所定時間に達したか否かを判定する。判定する手段が達したと判定したときに、記憶手段がその判定を記憶し、空調運転が終了したときに、判定する手段が、記憶手段がその判定を記憶しているか否かを判定する。判定する手段が記憶していると判定したときに、逆回転手段が、室外ファンを、室外熱交換器を冷却する際の回転方向とは逆方向へ回転させ、計時手段が、逆回転手段が室外ファンを回転させる時間を計測する。逆回転手段は、計時手段が所定時間を計時したときに停止する。
【００１０】
本発明に係る空気調和機は、室外に設けられた室外熱交換器と、室内に設けられた室内熱交換器と、該室内熱交換器で熱交換された空気を室内へ吹き出す室内ファンと、前記室外熱交換器を冷却する室外ファンと、外部からの指示を受け付け、前記室内熱交換器を清浄化する清浄化手段とを備え、前記室内を冷房、暖房又は除湿する空調運転を行う空気調和機において、前記清浄化手段が清浄化を終了したときに、前記室外ファンを、前記室外熱交換器を冷却する際の回転方向とは逆方向へ回転させる逆回転手段と、該逆回転手段が室外ファンを回転させる時間を計測する計時手段とを備え、前記逆回転手段は、該計時手段が所定時間を計時したときに停止するように構成してあることを特徴とする。
【００１１】
この空気調和機では、室内ファンが、室内熱交換器で熱交換された空気を室内へ吹き出し、室外ファンが室外熱交換器を冷却し、清浄化手段が、外部からの指示を受け付け、室内熱交換器を清浄化して、室内を冷房、暖房又は除湿する空調運転を行う。清浄化手段が清浄化を終了したときに、逆回転手段が、室外ファンを、室外熱交換器を冷却する際の回転方向とは逆方向へ回転させ、計時手段が、逆回転手段が室外ファンを回転させる時間を計測する。逆回転手段は、計時手段が所定時間を計時したときに停止する。
【００１２】
本発明に係る空気調和機は、前記逆回転手段が室外ファンを回転させる為の指示を受け付ける受付手段と、該受付手段が受け付けた指示を記憶する為の記憶手段とを更に備え、前記空調運転が停止している場合に、前記受付手段が指示を受け付けたときは、前記逆回転手段が室外ファンを回転させ、前記空調運転時に、前記受付手段が指示を受け付けたときは、前記記憶手段が該指示を記憶し、前記空調運転が終了したときに、前記記憶手段が指示を記憶しているときは、前記逆回転手段が室外ファンを回転させるように構成してあることを特徴とする。
【００１３】
この空気調和機では、受付手段が、逆回転手段が室外ファンを回転させる為の指示を受け付け、記憶手段が、受付手段が受け付けた指示を記憶する。空調運転が停止している場合に、受付手段が指示を受け付けたときは、逆回転手段が室外ファンを回転させる。空調運転時に、受付手段が指示を受け付けたときは、記憶手段がその指示を記憶し、空調運転が終了したときに、記憶手段が指示を記憶しているときは、逆回転手段が室外ファンを回転させる。
【００１４】
本発明に係る空気調和機は、前記室内熱交換器の前置フィルタを掃除する掃除手段を更に備え、前記受付手段が前記指示を受け付けて、前記逆回転手段が室外ファンを回転させているときは、前記掃除手段が前置フィルタを掃除するように構成してあることを特徴とする。
【００１５】
この空気調和機は、掃除手段が、室内熱交換器の前置フィルタを掃除する。受付手段が指示を受け付けて、逆回転手段が室外ファンを回転させているときは、掃除手段が前置フィルタを掃除する。
【００１６】
本発明に係る空気調和機は、前記記憶手段が指示を記憶していることを表示する手段を更に備え、前記記憶手段は、指示を記憶している場合に、前記受付手段が更に指示を受け付けたときは、前記指示を消去するように構成してあることを特徴とする。
【００１７】
この空気調和機は、表示する手段が、記憶手段が指示を記憶していることを表示する。記憶手段は、指示を記憶している場合に、受付手段が更に指示を受け付けたときは、その指示を消去する。
【００１８】
本発明に係る空気調和機は、前記逆回転手段が室外ファンを回転させる間に、該室外ファンが逆回転していることを表示する手段を更に前記室内に備えることを特徴とする。
【００１９】
この空気調和機は、逆回転手段が室外ファンを回転させる間に、室内に備える表示する手段が、室外ファンが逆回転していることを表示する。
【発明の効果】
【００２０】
本発明に係る空気調和機によれば、室外熱交換器に溜まった塵埃を自動的に除去することができ、初期の熱交換効率状態に戻すことができるので、消費電力の低減を図ることが可能な空気調和機を実現することができる。
【００２１】
本発明に係る空気調和機によれば、室外熱交換器に溜まった塵埃を、運転時間に応じて自動的に除去することができ、初期の熱交換効率状態に戻すことができるので、消費電力の低減を図ることが可能な空気調和機を実現することができる。
【００２２】
本発明に係る空気調和機によれば、室内熱交換器を清浄化する都度、室外熱交換器に溜まった塵埃を、自動的に除去することができ、初期の熱交換効率状態に戻すことができるので、消費電力の低減を図ることが可能な空気調和機を実現することができる。
【００２３】
本発明に係る空気調和機によれば、空調運転時を避けて、室外熱交換器に溜まった塵埃を、自動的に除去することができ、初期の熱交換効率状態に戻すことができ、消費電力の低減を図ることが可能な空気調和機を実現することができる。
【００２４】
本発明に係る空気調和機によれば、室内熱交換器の前置フィルタを掃除するときに、室外熱交換器に溜まった塵埃を、自動的に除去することができ、初期の熱交換効率状態に戻すことができ、消費電力の低減を図ることが可能な空気調和機を実現することができる。
【００２５】
本発明に係る空気調和機によれば、設定状態が分かる簡単な設定操作で、室外熱交換器に溜まった塵埃を、自動的に除去することができ、初期の熱交換効率状態に戻すことができ、消費電力の低減を図ることが可能な空気調和機を実現することができる。
【００２６】
本発明に係る空気調和機によれば、室外熱交換器に溜まった塵埃を、自動的に除去することができ、初期の熱交換効率状態に戻すことができ、消費電力の低減を図ることが可能な空気調和機を実現することができる。また、その塵埃の除去動作を、ユーザが確認することができる。
【発明を実施するための最良の形態】
【００２７】
以下に、本発明をその実施の形態を示す図面に基づいて説明する。
（実施の形態１）
図１は、本発明に係る空気調和機の実施の形態の構成を示すブロック図である。この空気調和機は、室内機３０及び室外機３１を備え、リモートコントロール装置１から室内機３０への赤外線通信等により操作される。
室内機３０は、図２の斜視図に示すような外観であり、室の内壁上部に設置され、リモートコントロール装置１から受信する受信部２と、リモートコントロール装置１に依らない操作の為の操作部３と、後述する室外ファン１９が逆回転していることを表示する表示ランプ５を有する表示部４とを備えている。
【００２８】
室内機３０は、また、受信部２及び操作部３からの操作信号を受け入れ、表示部４へ表示信号を与え、タイマ２１及びメモリ２４を内蔵する制御部６と、制御部６に制御される室内ファン駆動回路８と、室内ファン駆動回路８により駆動され、熱交換された空気を室内で吹き出す室内ファン９とを備えている。
室内機３０は、また、室内ファン９により室内機３０内に吸い込まれた空気と熱交換する室内熱交換器１１と、室内熱交換器１１の温度を検出する室内熱交温度検出器１０と、室内ファン９により室内機３０内に吸い込まれた空気の温度を検出する室内温度検出器７と、室内熱交換器１１の前置フィルタに付着した塵埃をノズルで吸引して掃除する掃除機構３３とを備えている。室内熱交温度検出器１０及び室内温度検出器７が各検出した温度は、制御部６に与えられる。
【００２９】
室外機３１は、図３の斜視図に示すような外観であり、屋外の地面上に設置され、室内機３０の制御部６に制御されるコンプレッサ駆動回路１２と、コンプレッサ駆動回路１２により駆動されるコンプレッサ１３と、制御部６に制御される室外ファン駆動回路１８と、室外ファン駆動回路１８により駆動され、熱交換する為の空気を室外機３１内に吸い込み、吹き出す室外ファン１９とを備えている。
室外機３１は、また、室外ファン１９により室外機３１内に吸い込まれた空気と熱交換する室外熱交換器１６と、室外熱交換器１６の温度を検出する室外熱交温度検出器１５と、室外の温度を検出する室外温度検出器２０とを備えている。室外熱交温度検出器１５及び室外温度検出器２０が各検出した温度は、制御部６に与えられる。
【００３０】
室外機３１は、また、コンプレッサ１３、室内熱交換器１１、室外熱交換器１６と共に、冷凍サイクル３２を構成する四方弁１４及びキャピラリチューブ（毛細管）１７を備えている。四方弁１４は、コンプレッサ１３が圧縮した冷媒の流れる方向を、暖房運転／冷房運転（除湿運転）に応じて切り替え、キャピラリチューブ１７は、コンプレッサ１３が圧縮した高圧（放熱）側の冷媒と、膨張した低圧（吸熱）側の冷媒との圧力差を維持する。
リモートコントロール装置１は、図４の部分外観図に示すように、冷房運転を起動する為の冷房ボタン２５、運転を停止する為の停止ボタン２６、及び室外熱交換器１６を掃除する為のお掃除ボタン２３等を備えている。
【００３１】
以下に、このような構成の空気調和機の動作を、それを示す図５，６のフローチャートを参照しながら説明する。
この空気調和機の制御部６は、リモートコントロール装置１での操作に従い、冷房運転、暖房運転又は除湿運転を従来通り実行する。尚、フラグＦはスタート時に初期化され、Ｆ＝０になっていることとする。
制御部６は、空調運転していないときは、リモートコントロール装置１で、冷房ボタン２５、暖房ボタン又は除湿ボタン等の運転ボタンが操作されたか否かを判定しており（Ｓ１）、例えば、冷房ボタン２５が操作されると、冷房の空調運転を開始する（Ｓ３）。空調運転中は、コンプレッサ１３、室内ファン９及び室外ファン１９は運転している。空調運転中にお掃除ボタン２３が操作されると（Ｓ５）、フラグＦを１にして（Ｓ３５）、空調運転を続行する。
【００３２】
制御部６は、リモートコントロール装置１で、停止ボタン２６が操作されると（Ｓ７）、冷房の空調運転を停止し（Ｓ９）、フラグＦが１であるか否かを判定し（Ｓ１１）、１でなければ、運転ボタンが操作されたか否かを判定する（Ｓ１）。空調運転が停止すると（Ｓ９）、コンプレッサ１３、室内ファン９及び室外ファン１９も停止する。
制御部６は、フラグＦが１であれば（Ｓ１１）、タイマ２１で計時を開始し（Ｓ１５）、１０秒経過したときは（Ｓ１７）、計時を終了して（Ｓ１９）、室外ファン駆動回路１８を制御して、室外ファン１９の逆回転を開始させる（Ｓ２１）。また、表示ランプ５を点灯させ（Ｓ２３）、タイマ２１で計時を開始する（Ｓ２５）。
【００３３】
制御部６は、タイマ２１で計時を開始して（Ｓ２５）、３分間経過すると（Ｓ２７）、計時を終了し（Ｓ２９）、室外ファン１９を停止し（Ｓ３１）、表示ランプ５を消灯させて（Ｓ３３）、運転ボタンが操作されたか否かを判定する（Ｓ１）。
制御部６は、空調運転していないときに、運転ボタンが操作されたか否かを判定し（Ｓ１）、操作されていないときは、お掃除ボタン２３が操作されたか否かを判定し（Ｓ３７）、操作されていないときは、運転ボタンが操作されたか否かを判定する（Ｓ１）。お掃除ボタン２３が操作されているとき（Ｓ３７）は、室外ファン駆動回路１８を制御して、室外ファン１９の逆回転を開始させ（Ｓ２１）、表示ランプ５を点灯させ（Ｓ２３）、タイマ２１で計時を開始する（Ｓ２５）。
【００３４】
本実施の形態１では、空気調和機が冷房または暖房運転を停止したときに、室外ファン１９は約１０秒間運転を停止する。但し、この状態では、大抵の場合（サーモオフ等でコンプレッサ１３が停止していたときは除く）、室外ファン１９は惰性で正回転方向に回っている。ここで、１０秒間待つのは、ユーザが間違えて止め、再び起動させたときに、正逆を繰り返すことによる室外ファン１９の負担を減らす為である。但し、一般的なセパレート型の空気調和機（エアコン）では、一旦、オフするとコンプレッサ１３を約３分間止める安全仕様が盛り込まれており、コンプレッサ１３が作動しないときには、室外ファン１９も普通は作動しない。
【００３５】
空気調和機が冷房または暖房運転を停止したとき、１０秒停止した後に、室外ファン１９に約６００ｒｐｍでの逆回転を開始させ、約３分間回転させた後に停止させる。
尚、逆回転させる時間は、長過ぎる場合でも、反対方向から塵埃が進入するので、大体、３０秒〜１０分の間が良いと思われる。
【００３６】
また、本実施の形態１では、リモートコントロール装置１に、お掃除ボタン２３を配置し、空調運転中にそのボタンが操作されることにより、お掃除運転の設定、解除を行うことができる。お掃除運転を設定すると、通常の空調運転終了毎にお掃除運転に入る。また、空調運転停止中にそのボタンが操作されると、お掃除運転を始める。
お掃除運転では、室外ファン１９が１０秒のインターバルを置いた後に、約６００ｒｐｍで逆回転を始め、約３分後に終了する。尚、最低でも３０秒以上運転するのが望ましい。
【００３７】
（実施の形態２）
図７，８は、本発明に係る空気調和機の実施の形態２の動作を示すフローチャートである。本発明に係る空気調和機の実施の形態２の構成は、上述した実施の形態１の構成と同様であるので、説明を省略する。
以下に、この空気調和機の動作を、図７，８のフローチャートを参照しながら説明する。
この空気調和機の制御部６は、リモートコントロール装置１での操作に従い、冷房運転、暖房運転又は除湿運転を従来通り実行する。尚、フラグＦはスタート時に初期化され、Ｆ＝０になっていることとする。
【００３８】
制御部６は、空調運転していないときは、リモートコントロール装置１で、冷房ボタン２５、暖房ボタン又は除湿ボタン等の運転ボタンが操作されたか否かを判定しており（Ｓ４１）、例えば、冷房ボタン２５が操作されると、冷房の空調運転を開始する（Ｓ４３）。空調運転を開始したときは、タイマ２１で空調運転時間の計時積算を開始する（Ｓ４５）。空調運転中は、コンプレッサ１３、室内ファン９及び室外ファン１９は運転している。
【００３９】
制御部６は、空調運転中は、空調運転時間の積算時間が１００時間に達したか否かを判定し（Ｓ４９）、１００時間に達したときは、フラグＦを１にし（Ｓ５１）、計時積算を終了し（Ｓ５３）、積算値をリセットした（Ｓ５５）後、空調運転を続行する。
制御部６は、リモートコントロール装置１で、停止ボタン２６が操作されると（Ｓ４７）、冷房の空調運転を停止し（Ｓ５６）、フラグＦが１であるか否かを判定する（Ｓ５７）。フラグＦが１でなければ、運転ボタンが操作されたか否かを判定する（Ｓ４１）。空調運転が停止すると（Ｓ５６）、コンプレッサ１３、室内ファン９及び室外ファン１９も停止する。
【００４０】
制御部６は、フラグＦが１であれば（Ｓ５７）、フラグＦを０にして（Ｓ５９）、タイマ２１で計時を開始し（Ｓ６１）、１０秒経過したときは（Ｓ６３）、計時を終了して（Ｓ６５）、室外ファン駆動回路１８を制御して、室外ファン１９の逆回転を開始させる（Ｓ６７）。また、表示ランプ５を点灯させ（Ｓ６９）、タイマ２１で計時を開始する（Ｓ７１）。
制御部６は、タイマ２１で計時を開始して（Ｓ７１）、５分間経過すると（Ｓ７３）、計時を終了し（Ｓ７５）、室外ファン１９を停止し（Ｓ７７）、表示ランプ５を消灯させて（Ｓ７９）、運転ボタンが操作されたか否かを判定する（Ｓ４１）。
【００４１】
本実施の形態２では、空調運転終了の後に、室外ファン１９の逆回転を始めるので、ユーザが、空気調和機を止めたのに勝手に動いていると誤解することもある。そのようなことを考えると、ある程度塵埃が溜まったときに、室外機３１のお掃除運転をするのが良い場合もある。そのような仕様の場合は、大体１００時間程度室外ファン１９が回転したら、その時間を超えたときの空調運転終了時に、お掃除運転を行う。尚、通常運転中に室外ファン１９を逆回転させると、熱交換が正常に行われないので不可である。
１００時間を超えた後の空調運転終了時に、約１０秒のインターバルを置いた後に、約６００ｒｐｍ程度で室外ファン１９を逆回転させる。約５分程度、逆回転させた後に、お掃除運転を終了させる。
【００４２】
（実施の形態３）
図１０，１１は、本発明に係る空気調和機の実施の形態３の動作を示すフローチャートである。本発明に係る空気調和機の実施の形態３の構成は、リモートコントロール装置１ａの他は、上述した実施の形態１の構成と同様であるので、説明を省略する。尚、リモートコントロール装置１ａには、図９の部分外観図に示すように、冷房運転中に室内熱交換器１１のフィンに付いた露を乾燥させる内部清浄化を実行する為の内部清浄ボタン２２が設けられている。また、表示部４には、内部清浄運転の実行中を示す表示ランプ５ａが設けられている。
【００４３】
以下に、この空気調和機の動作を、図１０，１１のフローチャートを参照しながら説明する。
この空気調和機の制御部６は、リモートコントロール装置１ａでの操作に従い、冷房運転、暖房運転又は除湿運転を従来通り実行する。
制御部６は、空調運転していないときは、リモートコントロール装置１で、冷房ボタン２５、暖房ボタン又は除湿ボタン等の運転ボタンが操作されたか否かを判定しており（Ｓ８５）、例えば、冷房ボタン２５が操作されると、冷房の空調運転を開始する（Ｓ８７）。空調運転中は、コンプレッサ１３、室内ファン９及び室外ファン１９は運転している。空調運転中に内部清浄ボタン２２が操作されると（Ｓ８９）、冷房の空調運転を停止する（Ｓ９３）。空調運転が停止すると、コンプレッサ１３、室内ファン９及び室外ファン１９も停止する。
【００４４】
制御部６は、空調運転を停止した（Ｓ９３）後、表示ランプ５ａを点灯させ（Ｓ９５）、内部清浄運転を実行する（Ｓ９７）。
制御部６は、内部清浄運転を実行した（Ｓ９７）後、タイマ２１で計時を開始し（Ｓ９９）、１０秒経過したときは（Ｓ１０１）、計時を終了して（Ｓ１０３）、室外ファン駆動回路１８を制御して、室外ファン１９の逆回転を開始させ（Ｓ１０５）、タイマ２１で計時を開始する（Ｓ１０７）。
【００４５】
制御部６は、タイマ２１で計時を開始して（Ｓ１０７）、５分間経過すると（Ｓ１０９）、計時を終了し（Ｓ１１１）、室外ファン１９を停止し（Ｓ１１３）、表示ランプ５を消灯させて（Ｓ１１５）、運転ボタンが操作されたか否かを判定する（Ｓ８５）。
【００４６】
本実施の形態３では、内部清浄ボタン２２が付いているリモートコントロール装置１ａで、室内機３０の内部清浄運転を開始し、その運転が終了したときに、約１０秒のインターバル運転後に、約６００ｒｐｍで室外ファン１９を逆回転させ、５分程度運転した後に停止させる。尚、このときに内部清浄ランプ（表示ランプ５ａ）が室内機３０に設けられている場合は、この室外ファン１９の運転が終了する迄、点灯させることにより、ユーザが誤解することが無くなる。
尚、内部清浄運転とは、メーカ各社により名称が異なると共に、仕様にも若干の差異はあるが、冷房運転中に室内機のフィンに付いた露を乾燥させて、カビなどが発生しないようにすることを主目的とする。暖房サイクルで室内機のフィンを暖める仕様のものも存在するので、そのような仕様に鑑み、内部清浄運転終了後に室外ファンを逆回転し始めるようにする。
【００４７】
（実施の形態４）
図１２，１３は、本発明に係る空気調和機の実施の形態４の動作を示すフローチャートである。本発明に係る空気調和機の実施の形態４の構成は、表示部４の設定表示ランプ５ｂの他は、上述した実施の形態１の構成と同様であるので、説明を省略する。尚、設定表示ランプ５ｂは、室外ファン１９を逆回転させて、室外熱交換器１６の掃除を行うように設定されていることを示す表示ランプである。
【００４８】
以下に、この空気調和機の動作を、それを示す図１２，１３のフローチャートを参照しながら説明する。
この空気調和機の制御部６は、リモートコントロール装置１での操作に従い、冷房運転、暖房運転又は除湿運転を従来通り実行する。尚、フラグＦはスタート時に初期化され、Ｆ＝０になっていることとする。
【００４９】
制御部６は、空調運転していないときは、リモートコントロール装置１で、冷房ボタン２５、暖房ボタン又は除湿ボタン等の運転ボタンが操作されたか否かを判定しており（Ｓ１２１）、例えば、冷房ボタン２５が操作されると、冷房の空調運転を開始する（Ｓ１２３）。空調運転中は、コンプレッサ１３、室内ファン９及び室外ファン１９は運転している。空調運転中にお掃除ボタン２３が操作されると（Ｓ１２４）、フラグＦが１であるか否かを判定し（Ｓ１２５）、フラグＦが１でなければ、フラグＦを１にし（Ｓ１５７）、設定表示ランプ５ｂを点灯させて（Ｓ１５８）、空調運転を続行する。フラグＦが１であれば、フラグＦを０にし（Ｓ１２６）、設定表示ランプ５ｂを消灯させて（Ｓ１２７）、空調運転を続行する。
【００５０】
制御部６は、空調運転中に、リモートコントロール装置１で停止ボタン２６が操作されると（Ｓ１２８）、冷房の空調運転を停止し（Ｓ１２９）、フラグＦが１であるか否かを判定し（Ｓ１３１）、１でなければ、運転ボタンが操作されたか否かを判定する（Ｓ１２１）。空調運転が停止すると（Ｓ１２９）、コンプレッサ１３、室内ファン９及び室外ファン１９も停止する。
制御部６は、フラグＦが１であれば（Ｓ１３１）、掃除機構３３で室内熱交換器１１の前置フィルタの掃除（室内機掃除）を開始し（Ｓ１３５）、表示ランプ５を点灯させ（Ｓ１３７）、タイマ２１で計時を開始する（Ｓ１３９）。
【００５１】
制御部６は、タイマ２１で計時を開始して（Ｓ１３９）、１０秒経過したときは（Ｓ１４１）、計時を終了して（Ｓ１４３）、室外ファン駆動回路１８を制御して、室外ファン１９の逆回転を開始させ（Ｓ１４５）、タイマ２１で計時を開始する（Ｓ１４７）。
制御部６は、タイマ２１で計時を開始して（Ｓ１４７）、１０分間経過すると（Ｓ１４８）、計時を終了し（Ｓ１４９）、掃除機構３３での前置フィルタの掃除（室内機清掃）を終了し（Ｓ１５１）、室外ファン１９を停止する（Ｓ１５３）。次いで、表示ランプ５を消灯させた（Ｓ１５５）後、運転ボタンが操作されたか否かを判定する（Ｓ１２１）。
【００５２】
制御部６は、空調運転していないときに、運転ボタンが操作されたか否かを判定し（Ｓ１２１）、操作されていないときは、お掃除ボタン２３が操作されたか否かを判定し（Ｓ１５９）、操作されていないときは、運転ボタンが操作されたか否かを判定する（Ｓ１２１）。お掃除ボタン２３が操作されているとき（Ｓ１５９）は、掃除機構３３で室内熱交換器１１の前置フィルタの掃除（室内機掃除）を開始し（Ｓ１３５）、表示ランプ５を点灯させ（Ｓ１３７）、タイマ２１で計時を開始する（Ｓ１３９）。
【００５３】
本実施の形態４では、リモートコントロール装置１にお掃除ボタン２３を配置し、運転中にそのボタンが操作されることにより、お掃除運転の設定、解除を行うことができる。お掃除運転に設定すると、通常の空調運転終了毎にお掃除運転に入る。また、空調運転停止中にそのボタンが操作されると、お掃除運転を始める。
お掃除運転では、室内機３０側で、掃除機構３３が室内熱交換器１１の前置フィルタの掃除等を始めると共に、室外機３１側で、室外ファン１９が、１０秒のインターバルを置いた後に、約６００ｒｐｍで逆回転を始める。室内機３０側の前置フィルタのお掃除の終了と同時に逆回転を終了する。尚、１０分で停止するようにしても良い。
【００５４】
また、本実施の形態４では、お掃除ランプ（表示ランプ５）が室内機３０に設けられている場合、リモートコントロール装置１でお掃除ボタン２３が操作されると、お掃除運転中にお掃除ランプが点灯する。これにより、室外ファン１９が回っていても、勝手に回っていると、ユーザに誤解されることがない。
【図面の簡単な説明】
【００５５】
【図１】本発明に係る空気調和機の実施の形態の構成を示すブロック図である。
【図２】本発明に係る空気調和機の室内機の外観例を示す斜視図である。
【図３】本発明に係る空気調和機の室外機の外観例を示す斜視図である。
【図４】本発明に係る空気調和機のリモートコントロール装置の部分外観例を示す外観図である。
【図５】本発明に係る空気調和機の動作を示すフローチャートである。
【図６】本発明に係る空気調和機の動作を示すフローチャートである。
【図７】本発明に係る空気調和機の動作を示すフローチャートである。
【図８】本発明に係る空気調和機の動作を示すフローチャートである。
【図９】本発明に係る空気調和機のリモートコントロール装置の部分外観例を示す外観図である。
【図１０】本発明に係る空気調和機の動作を示すフローチャートである。
【図１１】本発明に係る空気調和機の動作を示すフローチャートである。
【図１２】本発明に係る空気調和機の動作を示すフローチャートである。
【図１３】本発明に係る空気調和機の動作を示すフローチャートである。
【符号の説明】
【００５６】
１，１ａ  リモートコントロール装置
２  受信部
５，５ａ  表示ランプ
５ｂ  設定表示ランプ
６  制御部
９  室内ファン
１１  室内熱交換器
１２  コンプレッサ駆動回路
１３  コンプレッサ
１６  室外熱交換器
１８  室外ファン駆動回路
１９  室外ファン
２１  タイマ
２２  内部清浄ボタン
２３  掃除ボタン
２４  メモリ
２５  冷房ボタン
２６  停止ボタン
３０  室内機
３１  室外機
３３  掃除機構
【図１】
2007155270.tif 000003
【図２】
2007155270.tif 000004
【図３】
2007155270.tif 000005
【図４】
2007155270.tif 000006
【図５】
2007155270.tif 000007
【図６】
2007155270.tif 000008
【図７】
2007155270.tif 000009
【図８】
2007155270.tif 000010
【図９】
2007155270.tif 000011
【図１０】
2007155270.tif 000012
【図１１】
2007155270.tif 000013
【図１２】
2007155270.tif 000014
【図１３】
2007155270.tif 000015